(57)【要約】      （修正有）【課題】金属板による表面材と裏打材とによる横葺屋根板の、金属板による表面材と裏打材との間に雨水が入り込み、裏面から金属板が錆びる問題を解消する。【解決手段】長尺の金属板による表面材と、裏打材による複数の横葺屋根板１を、その横葺屋根板１の表面材と発泡性合成樹脂による裏打材とを一体に成形する横葺屋根板１とその接続手段２とによる横葺屋根構造とする。【選択図】図１
2006266052.tif 000002
【特許請求の範囲】
【請求項１】
金属板による表面材と裏打材による、複数の長尺の横葺屋根板を、長手方向に接続する横葺屋根板において、その表面材の長手方向の端部を雨水等からカバーする、次の２手段のうちから少なくとも１種類を選択した、その長手方向の端部を裏面側に折り曲げた折曲片を形成する事と、その長手方向の端部を継手部材によりカバーする事とによる、その幅方向の端部に表面材を折り曲げた差込片を形成し、その幅方向の他端部に表面側に折り曲げた嵌合片と表面材とにより嵌合溝を形成し、その嵌合溝に、他の横葺屋根板の差込片を差し込み嵌合する、横葺屋根板に関して、その横葺屋根板の表面材と発泡性合成樹脂による裏打材とを一体に成形する事を特徴とする横葺屋根板。
【請求項２】
前記の折曲片が、横葺屋根板の表面材の長手方向の端部を、鋭角に裏面側に折り曲げた折曲片であり、その折曲片を差し込む、嵌合間隙をその両側に形成した継手部材の嵌合間隙に差し込み接続する、請求項１記載の横葺屋根板。
【請求項３】
前記の折曲片が、横葺屋根板の表面材の長手方向の端部を、ほぼ直角に裏面側に折り曲げた折曲片であり、その折曲片を差し込む、表面側に開口する断面コの字形の継手溝を形成した継手部材に差し込み接続する、請求項１記載の横葺屋根板。
【請求項４】
前記の折曲片が、横葺屋根板の表面材の長手方向の一端部を、ほぼ直角に裏面側に折り曲げた折曲片であり、横葺屋根板の表面材の長手方向の他端部を、ほぼ直角に裏面側に折り曲げて、さらに、表面側に開口する断面コの字形の折曲溝を形成し、その折曲溝に他の横葺屋根板の折曲片を差し込み接続する、請求項１記載の横葺屋根板。
【請求項５】
前記の折曲片が、横葺屋根板の表面材の長手方向の一端部を、裏面側に折り返した折曲片であり、その折曲片が形成された表面材の裏側の裏打材を剥ぎ取り被覆端を形成し、その他端部に差込片と嵌合片とを切り欠いた差込端を形成し、その差込端を前記の被覆端により被い接続する、請求項１記載の横葺屋根板。
【請求項６】
横葺屋根板の長手方向の端部の裏側の裏打材を剥ぎ取り剥取片を形成し、前記の長手方向の端部をカバーする継手部材にその剥取片を差し込み接続する、請求項１記載の横葺屋根板。
【請求項７】
請求項１から請求項６記載の横葺屋根板とその接続手段とによる横葺屋根構造。
【発明の詳細な説明】
【技術分野】
【０００１】  この発明は、長尺の金属板による表面材と裏打材による複数の横葺屋根板を、長手方向に接続する横葺屋根板において、その表面材の長手方向の端部を雨水等からカバーする、横葺屋根板とその接続手段とによる横葺屋根構造に関する。
【背景技術】
【０００２】  従来、長尺の金属板による表面材と裏打材による複数の横葺屋根板を、長手方向に接続する横葺屋根板において、その表面材の長手方向の端部を雨水等からカバーする、横葺屋根板の技術には、表面材の裏面に発泡材を添え設けて、添設した屋根構造がある。
（例えば、特許文献１参照）。
【特許文献１】  実開昭５９−１０２７２２号公報
【発明の開示】
【発明が解決しようとする課題】
【０００３】  従来の技術には、金属板による表面材と裏打材との間に雨水が入り込み、裏面から金属板が錆びる問題があった。
【課題を解決するための手段】
【０００４】  この発明は、長尺の金属板による表面材と、裏打材による複数の横葺屋根板を、長手方向に接続する横葺屋根板において、その表面材の長手方向の端部を雨水等からカバーする、次の２手段のうちから少なくとも１種類を選択した、その長手方向の端部を裏面側に折り曲げた折曲片を形成する事と、その長手方向の端部を継手部材によりカバーする事とによる、その幅方向の端部に表面材を折り曲げた差込片を形成し、その幅方向の他端部に表面側に折り曲げた嵌合片と表面材とにより嵌合溝を形成し、その嵌合溝に、他の横葺屋根板の差込片を差し込み嵌合する、横葺屋根板に関して、その横葺屋根板の表面材と発泡性合成樹脂による裏打材とを一体に成形する横葺屋根板とその接続手段とによる横葺屋根構造とする。
【発明の効果】
【０００５】  この発明による横葺屋根板とその接続手段とによる横葺屋根構造には、次のような効果がある。【０００６】Ａ．横葺屋根板の表面材と発泡性合成樹脂による裏打材とを一体に成形するため、
ａ．表面材と裏打材との間に雨水が入り込まなくなり、
イ．裏面から金属板が錆びる問題が解消され、
ロ．屋根の耐久性が向上する。【０００７】Ｂ．折曲片が、横葺屋根板の表面材の長手方向の端部を、鋭角に裏面側に折り曲げた折曲片であり、その折曲片を差し込む、嵌合間隙をその両側に形成した継手部材の嵌合間隙に差し込み接続する横葺屋根板の場合、
ａ．表面材と発泡性合成樹脂による裏打材とを一体に成形するされているため、
イ．表面材が裏打材により、補強され強度が向上し、
ロ．接続部の強度が向上し、風圧による接続部の変形が防止され、
ハ．変形により接続部が開口し、雨水が浸入する事を防止され、
ニ．接続部の水密性が向上する。【０００８】Ｃ．折曲片が、横葺屋根板の表面材の長手方向の端部を、ほぼ直角に裏面側に折り曲げた折曲片であり、その折曲片を差し込む、表面側に開口する断面コの字形の継手溝を形成した継手部材に差し込み接続する横葺屋根板の場合、
ａ．ほぼ直角に裏面側に折り曲げた折曲片が補強材となり、表面材と発泡性合成樹脂による裏打材とを一体に成形するためとにより、
イ．折曲片が補強材となり、表面材が裏打材により補強されると共に強度が向上し、
ロ．接続部の強度が向上し、風圧による接続部の変形が防止され、
ハ．変形により接続部が開口し、雨水が浸入する事を防止され、
ニ．接続部の水密性が向上し、
ｂ．継手溝がコの字形となり、雨水により運ばれた土埃等が溜まる隙間が無くなり、
イ．土埃による汚れが防止され、屋根の美観が向上し、
ロ．雨水と土埃等により錆びを発生する事が無くなり、屋根の耐久性が向上し、
ｃ．折曲片の加工が直角のため加工性が向上し、生産性が向上する。【０００９】Ｄ．折曲片が、横葺屋根板の表面材の長手方向の一端部を、ほぼ直角に裏面側に折り曲げた折曲片であり、横葺屋根板の表面材の長手方向の他端部を、ほぼ直角に裏面側に折り曲げて、さらに、表面側に開口する断面コの字形の折曲溝を形成し、その折曲溝に他の横葺屋根板の折曲片を差し込み接続する横葺屋根板の場合、
ａ．ほぼ直角に裏面側に折り曲げた折曲片と、断面コの字形の折曲溝とが補強材となり、表面材と発泡性合成樹脂による裏打材とを一体に成形する事とにより、
イ．折曲片と断面コの字形の折曲溝が補強材となり、表面材が裏打材により補強されると共に、より強度が向上し、
ロ．接続部の強度が向上し、風圧による接続部の変形が防止され、
ハ．変形により接続部が開口し、雨水が浸入する事を防止され、
ニ．接続部の水密性が向上し、
ｂ．折曲溝がコの字形となり、雨水により土埃等が溜まる隙間が無くなり、
イ．土埃による汚れが防止され、
ロ．雨水と土埃等により錆びを発生する事が無くなり、耐久性が向上し、
ｃ．横葺屋根板の防水性が向上するため、継手部材が構造が簡単になり、
イ．継手部材の加工性が向上する。【００１０】Ｅ．折曲片が、横葺屋根板の表面材の長手方向の一端部を、裏面側に折り返した折曲片であり、その折曲片が形成された表面材の裏側の裏打材を剥ぎ取り被覆端を形成し、その他端部に差込片と嵌合片とを切り欠いた差込端を形成し、その差込端を前記の被覆端により被い接続する横葺屋根板の場合、
ａ．被覆端の折り返した折曲片が、差込端を被覆端により被い接続する時に、その端部により表面材を傷つけることが無くなり、
イ．施工性が向上し、
ロ．傷がない屋根となり、美観が向上し、
ハ．傷により錆が発生するのを防止し、屋根の耐久性が向上し、
ｂ．折曲片により、被覆端の強度が向上し、被覆端の変形が防止され、
イ．差込端と被覆端との間に隙間が発生することを防止して、
ロ．接続部の強度が向上し、風圧による接続部の変形が防止され、
ハ．変形により接続部が開口し、雨水が浸入する事を防止され、
ニ．接続部の水密性が向上し、
ｃ．継手部材が不要となり、接続構造が簡単になり、
イ．施工手間が減り、施工性が向上する。【００１１】Ｆ．横葺屋根板の長手方向の端部の裏側の裏打材を剥ぎ取り剥取片を形成し、前記の長手方向の端部をカバーする継手部材にその剥取片を差し込み接続する横葺屋根板の場合、
ａ．横葺屋根板の加工が容易になり、
イ．横葺屋根板のコストが、生産コストが低下する。【００１２】Ｇ．この発明による横葺屋根板とその接続手段とによる横葺屋根構造とすることにより、
ａ．裏面から金属板が錆びる問題が解消され、屋根の耐久性が向上する。
ｂ．風圧による接続部の変形が防止され、変形による接続部の開口により、雨水が浸入する事を防止され、横葺屋根の接続部の水密性が向上する。
ｃ．接続部に雨水により運ばれた土埃等が溜まる隙間が無くなり、土埃による汚れが防止され、屋根の美観が向上する。
ｄ．雨水と土埃等により錆びを発生する事が無くなり、屋根の耐久性が向上する。
ｅ．傷がない屋根となり、美観が向上する。
ｆ．傷により錆が発生するのを防止し、屋根の耐久性が向上する。
【発明を実施するための最良の形態】
【００１３】Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板
ｄ．エンボス加工の上に塗装した金属板
ｅ．次に代表されるバネ用板
イ．バネ用ステンレス板
ロ．バネ用炭素鋼板
ハ．バネ用銅合金板等を使用する。【００１４】Ｂ．この発明に使用される建築用パネルや部材の釘打ち固定には、
ａ．次に代表される、固定具を使用する。
イ．タッピングビス
ロ．釘
ハ．ホッチキス
ニ．木ネジ
ホ．ポップリベット
ヘ．両面粘着テープ等【００１５】Ｃ．この発明に使用される発泡合成樹脂等は、
ａ．建築用パネルの裏打材には、
イ．次に代表される発泡合成樹脂に
○硬質発泡ウレタン樹脂
○硬質発泡ヌレート樹脂
○発泡フェノール樹脂
○発泡スチレン樹脂等
ロ．次に代表される裏面材を積層している。
○はり合わせアルミニウム箔
○スチールペーパー
○ポリエチコートクラフト紙
○アルミ蒸着紙
○合成樹脂シート等
ハ．前記の金属板と裏面材との間に、それらの発泡合成樹脂を充填し、主に発泡合成樹脂の自己接着性を利用して、積層している。
ニ．また、裏面材を欠いた発泡合成樹脂のみの、裏打材とする事も可能である。【００１６】  発明の実施例について、次の、実施例１、実施例２、実施例３、実施例４、及び実施例５により、図面を参照して説明する。
【実施例１】
【００１７】  図１，図２，図３，図４，図５，図６，及び図７は、この発明の実施例１を示すものである。【００１８】Ａ．図６に示す、実施例１においての横葺屋根板１は、
ａ．金属板５による長尺の表面材１ａを成形して、ほぼ平坦な横葺屋根板面１ｂを形成し、
ｂ．その横葺屋根板面１ｂの一側端に、次のような前端面１ｃと差込片１ｄとを形成し、
イ．表面材１ａをくの字形に裏面側に折り曲げて前端面１ｃを形成し、
ロ．その前端面１ｃを、さらに鋭角気味に裏面側に折り曲げて、そして、先端を表面側に折り返した差込片１ｄを形成し、
ｃ．また、その横葺屋根板面１ｂの他側端に、次のような嵌合片１ｆと嵌合溝１ｅと釘打片１ｇとを形成し、
イ．横葺屋根板面１ｂを、表面側にＵ字形に折り曲げて、嵌合溝１ｅを形成し、
ロ．その嵌合溝１ｅを裏面側に折り返して、嵌合片１ｆを形成し、
ハ．その嵌合片１ｆを裏面側に鈍角のクランク状に折り曲げて、先端を表面側に折り返し、途中に裏面側に開口する断面半円形の突起を持つ、釘打片１ｇを形成し、
ｄ．その成形した表面材１ａの裏面側に、
イ．裏面材１ｉにより覆われた発泡合成樹脂６による、次のような裏打材１ｈを形成し、
ロ．その裏打材１ｈの幅方向の断面は、横葺屋根板面１ｂを底辺とし、その頂点が差込片１ｄ側によった薄い三角形に形成し、
ハ．その裏打材１ｈの長手方向の両端部を、裏打材１ｈ側に内向傾斜して切断して、剥離端１ｊを形成し、
ｅ．その剥離端１ｊの両外方の裏打材１ｈを、横葺屋根板面１ｂから剥ぎ取って、剥取片１ｋを形成し、
イ．その剥取片１ｋを鋭角的に裏面側に折り曲げて、折曲片１ｌを形成し、
ロ．その折曲片１ｌと剥取片１ｋとにより、引掛溝１ｍを構成している。【００１９】Ｂ．図７に示す、実施例１の継手部材２は、矩形の金属板５を成形して、
ａ．ほぼ平坦な雨受板２ａの中央部に、次のような継手溝２ｂを形成し、
イ．その継手溝２ｂは中央部の雨受板２ａと、その両側に位置した、外方に開口する断面半円形の内方に突起した、突筋２ｃとにより構成し、
ロ．また、その継手溝２ｂの両外側の、雨受板２ａの両側端を内方にナス型に折り曲げて、くの字形に外方に折り曲げて、さらに、鈍角なクランク状に内方に折り曲げて、嵌合板２ｄを形成し、
ハ．その嵌合板２ｄと、前記の突筋２ｃとにより、狭隘な嵌合口２ｆと、
ニ．それに続く嵌合板２ｄと雨受板２ａとにより、嵌合間隙２ｅとを形成し、
ｂ．その一端の雨受板２ａを鈍角に外方に折り曲げて、前屈曲２ｇを形成し、
イ．さらに、その前屈曲２ｇを鋭角に外方に折り曲げて、挿入片２ｈを形成し、
ｃ．その他端を雨受板２ａと嵌合板２ｄとをＬ字形に、その前屈曲２ｇと反対側に折り曲げて後屈曲２ｉを形成する。【００２０】Ｃ．図１，図２，図３，図４，及び図５に示す、実施例１の屋根４の施工は、
ａ．次のようにして横葺屋根板１を施工し、
イ．継手部材２の施工仕様の要求と屋根４の設計による位置に合わせて、
ロ．複数の横葺屋根板１と継手部材２からなる、前の段の、すでに固定した横葺屋根板１の嵌合溝１ｅに、他の横葺屋根板１の差込片１ｄを差し込みながら、
ハ．後者の横葺屋根板１の下に継手部材２を潜らせて、
ニ．前者の横葺屋根板１の嵌合溝１ｅに、その継手部材２の挿入片２ｈを差し込み、
ホ．後者の横葺屋根板１の引掛溝１ｍに、継手部材２の一方の嵌合板２ｄを差し込み、
ヘ．その横葺屋根板１の前端面１ｃに、継手部材２の前屈曲２ｇを合わせて、
ト．その横葺屋根板１の釘打片１ｇの先端に、継手部材２の後屈曲２ｉを合わせて、
チ．その横葺屋根板１の継手部材２に重なっていない部分の、釘打片１ｇを釘打ち固定し、
ｂ．その継手部材２に、次の横葺屋根板１を施工し、
イ．継手部材２の嵌合口２ｆに、その横葺屋根板１の折曲片１ｌを差し込み、
ロ．前の段の、すでに固定した横葺屋根板１の嵌合溝１ｅに、後者の横葺屋根板１を幅方向にずらして、その差込片１ｄを差し込み、
ハ．その横葺屋根板１の継手部材２に重なっていない部分の、釘打片１ｇを釘打ち固定して施工し、
ニ．上記を繰り返して、この段の屋根材１と継手部材２を複数施工し、
ｃ．そして、それらの施工された横葺屋根板１と継手部材２の次の段以降に、上記を繰り返して、屋根４を施工する。
【実施例２】
【００２１】  図８，図９，図１０，図１１，図１２，図１３，及び図１４は、この発明の実施例２を示すものである。【００２２】Ａ．図１３に示す、実施例２においての横葺屋根板１は、
ａ．図４に示す実施例１の横葺屋根板１と次の点で異なり、
イ．折曲片１ｌと引掛溝１ｍとを構成上欠く点と、
ロ．裏打材１ｈを剥ぎ取った剥取片１ｋの幅が広い点とが異なる。【００２３】Ｂ．図１４に示す、実施例２の継手部材２は、金属板５を成形して、
ａ．ほぼ平坦で矩形の被覆面２ｋの両側を裏面側に折り返して、嵌合板２ｄを形成し、
イ．その嵌合板２ｄを表面側にＵ字形に折り曲げて、雨受板２ａを形成し、
ロ．その雨受板２ａは両側の途中に外方に開口する断面半円形の突起した、突筋２ｃを形成し、
ハ．その両側先端にＵ字形に表面側に折り返した、折返片２ｊを形成し、より構成し、
ニ．その嵌合板２ｄと、雨受板２ａとにより、嵌合口２ｆと、それに続く、嵌合間隙２ｅとを形成し、
ｂ．前記の一端の被覆面２ｋと嵌合板２ｄとを延長し、鈍角に内方に折り曲げて、前被覆面２ｌを形成し、
ｃ．その他端の雨受板２ａと折返片２ｊとを延長しＬ字形に、その表面側に折り曲げて後屈曲２ｉを形成する。【００２４】Ｃ．図８，図９，図１０，図１１，及び図１２に示す、実施例２の屋根４の施工は、
ａ．次のようにして横葺屋根板１を施工し、
イ．継手部材２の施工仕様の要求と屋根４の設計による位置に合わせた、前の段の、すでに固定した横葺屋根板１の嵌合溝１ｅに、
ロ．他の横葺屋根板１の差込片１ｄを差し込みながら、
ハ．後者の横葺屋根板１の剥取片１ｋに継手部材２の嵌合間隙２ｅを被せて押し込み、その剥取片１ｋと継手部材２の嵌合板２ｄが密接し、
ニ．その横葺屋根板１の前端面１ｃに、継手部材２の前被覆面２ｌを合わせて、
ホ．その横葺屋根板１の釘打片１ｇの先端に、継手部材２の後屈曲２ｉを合わせて、
ヘ．その横葺屋根板１の継手部材２に重なっていない部分の、釘打片１ｇを釘打ち固定し、
ｂ．その継手部材２に、次の横葺屋根板１を施工し、
イ．継手部材２の嵌合口２ｆに、その横葺屋根板１の剥取片１ｋを差し込み、
ロ．前の段の、すでに固定した横葺屋根板１の嵌合溝１ｅに、後者の横葺屋根板１の差込片１ｄを差し込み、
ハ．その横葺屋根板１の継手部材２に重なっていない部分の、釘打片１ｇを釘打ち固定して施工し、
ニ．その横葺屋根板１の剥取片１ｋの端部を、継手部材２の被覆面２ｋにより覆い、
ホ．その横葺屋根板１の前端面１ｃの端部を、継手部材２の前被覆面２ｌにより覆い、
ヘ．上記を繰り返して、この段の屋根材１と継手部材２を複数施工し、
ｃ．そして、それらの、施工された横葺屋根板１と継手部材２の次の段以降に、上記を繰り返して、屋根４を施工する。
【実施例３】
【００２５】  図１５，図１６，図１７，図１８，図１９，図２０，及び図２１は、この発明の実施例３を示すものである。【００２６】Ａ．図２０に示す、実施例３においての横葺屋根板１は、
ａ．図４に示す実施例１の横葺屋根板１と次の点で異なり、
イ．剥取片１ｋをＬ字形に裏面側に折り曲げて、次のような折曲片１ｌとして、
ロ．その折曲片１ｌの嵌合溝１ｅ側の途中より、裏打材１ｈの厚さに合わせて高さを減じた折曲片１ｌとし、
ハ．また、前端面１ｃをＬ字形に裏面側に折り曲げて、前折曲片１ｎを形成し、
ニ．裏打材１ｈを剥ぎ取った剥取片１ｋの幅が広い点とが異なる。【００２７】Ｂ．図２１に示す、実施例３の継手部材２は、矩形の金属板５を成形して、
ａ．ほぼ平坦な雨受板２ａの両側に、次のような突筋２ｃと折返片２ｊとを形成し、
イ．その突筋２ｃは、雨受板２ａの両側の途中に裏面側に開口する断面半円形で表面側に突起し、
ロ．その折返片２ｊは、雨受板２ａの両側先端をＵ字形に表面側に折り返して形成し、
ハ．また、雨受板２ａの縦断面は、前記の横葺屋根板１の折曲片１ｌの高さの変化に応じて屈曲し、
ｂ．その雨受板２ａの屈曲が、横葺屋根板１の前端面１ｃ側に当たる一端を、鈍角に裏面側に折り曲げて、前屈曲２ｇを形成し、
ｃ．その雨受板２ａの他端を、Ｌ字形に表面側に折り曲げて、後屈曲２ｉを形成し、
ｄ．そして、その雨受板２ａの中央に、細長い金属板５を折り曲げた、次のような継手溝２ｂをスポット溶接により取り付けて、
イ．その継手溝２ｂは、ほぼ平坦で雨受板２ａに沿った縦断面を形成し、
ロ．その両側に先端を裏面側に折り返して、その高さを前記の横葺屋根板１の折曲片１ｌの高さに合わせた立上堤２ｍを形成し、
ハ．その立上堤２ｍの前屈曲２ｇ側を、前屈曲２ｇに沿って延長した、前立上堤２ｎを形成している。【００２８】Ｃ．図１５，図１６，図１７，図１８，及び図１９に示す、実施例３の屋根４の施工は、
ａ．次のようにして横葺屋根板１を施工し、
イ．継手部材２の施工仕様の要求と屋根４の設計による位置に合わせた、前の段の、すでに固定した横葺屋根板１の嵌合片１ｆに、
ロ．継手部材２の前屈曲２ｇ際の雨受板２ａを被せて、
ハ．その継手部材２の継手溝２ｂの側方に、他の横葺屋根板１の折曲片１ｌを差し込ませて、
ニ．その横葺屋根板１の前端面１ｃに、継手部材２の前立上堤２ｎを合わせて、
ホ．その横葺屋根板１の釘打片１ｇの先端に、継手部材２の後屈曲２ｉを合わせて、
ヘ．固定した横葺屋根板１の嵌合溝１ｅに、後者の横葺屋根板１の差込片１ｄを差し込み、
ト．その横葺屋根板１の継手部材２に重なっていない部分の、釘打片１ｇを釘打ち固定し、
ｂ．その継手部材２に、次の横葺屋根板１を施工し、
イ．継手部材２の継手溝２ｂの他側方に、その横葺屋根板１の折曲片１ｌを差し込み、
ロ．最初の横葺屋根板１の嵌合溝１ｅに、後者の屋根材１の差込片１ｄを差し込み、
ハ．その横葺屋根板１の継手部材２に重なっていない部分の、釘打片１ｇを釘打ち固定して施工し、
ニ．上記を繰り返して、この段の屋根材１と継手部材２を複数施工し、
ｃ．そして、それらの、施工された横葺屋根板１と継手部材２の次の段以降に、上記を繰り返して、屋根４を施工する。
【実施例４】
【００２９】  図２２，図２３，図２４，図２５，図２６，図２７，及び図２８は、この発明の実施例４を示すものである。【００３０】Ａ．図２７及び図２８に示す、実施例４においての横葺屋根板１は、
ａ．金属板５による長尺の表面材１ａを成形して、ほぼ平坦な横葺屋根板面１ｂを形成し、
ｂ．その横葺屋根板面１ｂの一側端に、次のような前端面１ｃと差込片１ｄとを形成し、
イ．表面材１ａをくの字形に裏面側に折り曲げて前端面１ｃを形成し、
ロ．その前端面１ｃを、さらに鋭角気味に裏面側に折り曲げて、そして、先端を表面側に折り返した差込片１ｄを形成し、
ｃ．また、その横葺屋根板面１ｂの他側端に、次のような嵌合片１ｆと嵌合溝１ｅと釘打片１ｇとを形成し、
イ．横葺屋根板面１ｂを、裏面側にＵ字形に折り曲げて、嵌合溝１ｅを形成し、
ロ．その嵌合溝１ｅを裏面側に折り返して、嵌合片１ｆを形成し、
ハ．その嵌合片１ｆを裏面側に鈍角のクランク状に折り曲げて、先端を表面側に折り返し、途中に裏面側に開口する断面半円形の突起を持つ、釘打片１ｇを形成し、
ｄ．その横葺屋根板１の長手方向の端部に、次のような差込端１０を形成する、
イ．その差込片１ｄを切り欠いて、差込切欠１ｑを形成し、
ロ．その嵌合片１ｆと釘打片１ｇとを切り欠いて、嵌合切欠１ｒを形成し、
ハ．その間の、横葺屋根板面１ｂの表面側に突起し、横葺屋根板面１ｂの幅方向に長く、互いに平行な複数の突条１ｐを形成し、
ニ．その先端を表面側に折り返した折曲片１ｌを持つ、差込端１ｏを形成する、
ｅ．また、その横葺屋根板１の長手方向の他端部の横葺屋根板面１ｂを、裏面側に折り返した折曲片１ｌを持つ被覆端１ｓを形成し、
ｆ．その成形した表面材１ａの裏面側に、
イ．裏面材１ｉにより覆われた発泡合成樹脂６による、次のような裏打材１ｈを形成し、
ロ．その裏打材１ｈの幅方向の断面は、横葺屋根板面１ｂを底辺とし、その頂点が差込片１ｄ側によった薄い三角形に形成し、
ｇ．その被覆端１ｓの裏面の裏打材１ｈを、裏打材１ｈ側に内向傾斜して切断して、剥離端１ｊを形成し、
イ．その剥離端１ｊの外方の裏打材１ｈを、横葺屋根板面１ｂから剥ぎ取って、剥取片１ｋを形成し、
ｈ．また、前記の差込端１ｏの裏面の裏打材１ｈは、裏打材１ｈ面にほぼ直角に切断して、剥離端１ｊを形成している。【００３１】Ｃ．図２２，図２３，図２４，図２５，及び図２６に示す、実施例４の屋根４の施工は、
ａ．次のようにして横葺屋根板１を施工し、
イ．施工仕様の要求と屋根４の設計による接続部３の位置に合わせた、前の段の、すでに固定した横葺屋根板１の嵌合溝１ｅに、
ロ．他の横葺屋根板１の差込片１ｄを差し込ませて、
ハ．その横葺屋根板１の釘打片１ｇを釘打ち固定し、
ｂ．その横葺屋根板１の差込端１ｏに、次の横葺屋根板１を施工し、
イ．前者の横葺屋根板１の差込切欠１ｑに、後者の横葺屋根板１の被覆端１ｓ側の差込片１ｄを差し込み、
ロ．前者の横葺屋根板１の嵌合切欠１ｒに、後者の横葺屋根板１の被覆端１ｓ側の釘打片１ｇを入れて、
ハ．前者の横葺屋根板１の差込端１ｏを、後者の横葺屋根板１の被覆端１ｓにより覆いながら、
ニ．前の段の、すでに固定した横葺屋根板１の嵌合溝１ｅに、後者の横葺屋根板１の差込片１ｄを差し込ませて、
ホ．その横葺屋根板１の釘打片１ｇを釘打ち固定し、
ヘ．上記を繰り返して、この段の屋根材１を複数施工し、
ｃ．そして、それらの、施工された横葺屋根板１の次の段以降に、上記を繰り返して、屋根４を施工する。
【実施例５】
【００３２】  図２９，図３０，図３１，図３２，図３３，図３４，及び図３５は、この発明の実施例５を示すものである。【００３３】Ａ．図３４に示す、実施例５においての横葺屋根板１は、
ａ．図２０に示す実施例３の横葺屋根板１と次の点で異なり、
イ．一端の折曲片１ｌを浅いコの字形に表面側に折り曲げて、折曲溝１ｔを形成し、
ロ．その折曲片１ｌに対向して立上片１ｕを形成し、
ハ．また、前折曲片１ｎに対向して前立上片１ｖを形成する点が異なる。【００３４】Ｂ．図３５に示す、実施例５の継手部材２は、矩形の金属板５を成形して、
ａ．ほぼ平坦な雨受板２ａに、次のような突筋２ｃと折返片２ｊとを形成し、
イ．その突筋２ｃは、雨受板２ａの中央部の両側と、両側端への途中に裏面側に開口する断面半円形で表面側に突起し、
ロ．その中央部の両側の突筋２ｃと雨受板２ａとにより、継手溝２ｂを形成し、
ハ．前記の折返片２ｊは、雨受板２ａの両側先端をＵ字形に表面側に折り返して形成し、
ニ．また、雨受板２ａの縦断面は、前記の横葺屋根板１の折曲片１ｌの高さの変化に応じて屈曲し、
ｂ．その雨受板２ａの屈曲が、横葺屋根板１の前端面１ｃ側に当たる一端を、鈍角に裏面側に折り曲げて、前屈曲２ｇを形成し、
ｃ．その雨受板２ａの他端を、Ｌ字形に表面側に折り曲げて、後屈曲２ｉを形成する。【００３５】Ｃ．図２９，図３０，図３１，図３２，及び図３３に示す、実施例５の屋根４の施工は、
ａ．次のようにして横葺屋根板１を施工し、
イ．継手部材２の施工仕様の要求と屋根４の設計による位置に合わせた、前の段の、すでに固定した横葺屋根板１の嵌合片１ｆに、
ロ．継手部材２の前屈曲２ｇ際の雨受板２ａを被せて、
ハ．その継手部材２の継手溝２ｂの内方に、他の横葺屋根板１の折曲溝１ｔを乗せて、
ニ．その横葺屋根板１の前折曲片１ｎに、継手部材２の前屈曲２ｇを合わせて、
ホ．その横葺屋根板１の釘打片１ｇの先端に、継手部材２の後屈曲２ｉを合わせて、
ヘ．固定した横葺屋根板１の嵌合溝１ｅに、後者の横葺屋根板１の差込片１ｄを差し込み、
ト．その横葺屋根板１の継手部材２に重なっていない部分の、釘打片１ｇを釘打ち固定し、
ｂ．その横葺屋根板１の折曲溝１ｔに、次の横葺屋根板１を施工し、
イ．横葺屋根板１の折曲溝１ｔの他側方に、後者の横葺屋根板１の折曲片１ｌのみの端部の、折曲片１ｌを差し込み、
ロ．前の段の、すでに固定した横葺屋根板１の嵌合溝１ｅに、後者の横葺屋根板１の差込片１ｄを差し込み、
ハ．その横葺屋根板１の継手部材２に重なっていない部分の、釘打片１ｇを釘打ち固定して施工し、
ニ．上記を繰り返して、この段の屋根材１と継手部材２を複数施工し、
ｃ．そして、それらの、施工された横葺屋根板１と継手部材２の次の段以降に、上記を繰り返して、屋根４を施工する。
【図面の簡単な説明】
【００３６】
【図１】  屋根の施工状態を示す一部省略長手方向断面図（実施例１）
【図２】  屋根の施工状態を示す一部省略幅方向断面図（実施例１）
【図３】  屋根の施工状態を示す一部省略端面図（実施例１）
【図４】  屋根の施工状態を示す一部省略斜視図（実施例１）
【図５】  屋根の施工状態を示す一部省略斜視図（実施例１）
【図６】  横葺屋根板を示す一部省略斜視図（実施例１）
【図７】  継手部材を示す斜視図（実施例１）
【図８】  屋根の施工状態を示す一部省略長手方向断面図（実施例２）
【図９】  屋根の施工状態を示す一部省略幅方向断面図（実施例２）
【図１０】  屋根の施工状態を示す一部省略斜視図（実施例２）
【図１１】  屋根の施工状態を示す一部省略端面図（実施例２）
【図１２】  屋根の施工状態を示す一部省略斜視図（実施例２）
【図１３】  横葺屋根板を示す一部省略斜視図（実施例２）
【図１４】  継手部材を示す斜視図（実施例２）
【図１５】  屋根の施工状態を示す一部省略長手方向断面図（実施例３）
【図１６】  屋根の施工状態を示す一部省略幅方向断面図（実施例３）
【図１７】  屋根の施工状態を示す一部省略斜視図（実施例３）
【図１８】  屋根の施工状態を示す一部省略斜視図（実施例３）
【図１９】  屋根の施工状態を示す一部省略斜視図（実施例３）
【図２０】  横葺屋根板を示す一部省略斜視図（実施例３）
【図２１】  継手部材を示す斜視図（実施例３）
【図２２】  屋根の施工状態を示す一部省略長手方向断面図（実施例４）
【図２３】  屋根の施工状態を示す一部省略幅方向断面図（実施例４）
【図２４】  屋根の施工状態を示す一部省略斜視図（実施例４）
【図２５】  屋根の施工状態を示す一部省略斜視図（実施例４）
【図２６】  屋根の施工状態を示す一部省略端面図（実施例４）
【図２７】  横葺屋根板を示す一部省略斜視図（実施例４）
【図２８】  横葺屋根板を示す一部省略斜視図（実施例４）
【図２９】  屋根の施工状態を示す一部省略長手方向断面図（実施例５）
【図３０】  屋根の施工状態を示す一部省略幅方向断面図（実施例５）
【図３１】  屋根の施工状態を示す一部省略斜視図（実施例５）
【図３２】  屋根の施工状態を示す一部省略斜視図（実施例５）
【図３３】  屋根の施工状態を示す一部省略端面図（実施例５）
【図３４】  横葺屋根板を示す一部省略斜視図（実施例５）
【図３５】  継手部材を示す斜視図（実施例５）
【符号の説明】
【００３７】  １  横葺屋根板
２  継手部材
３  接続部
４  屋根
５  金属板
６  発泡合成樹脂
【図１】
2006266052.tif 000003
【図２】
2006266052.tif 000004
【図３】
2006266052.tif 000005
【図４】
2006266052.tif 000006
【図５】
2006266052.tif 000007
【図６】
2006266052.tif 000008
【図７】
2006266052.tif 000009
【図８】
2006266052.tif 000010
【図９】
2006266052.tif 000011
【図１０】
2006266052.tif 000012
【図１１】
2006266052.tif 000013
【図１２】
2006266052.tif 000014
【図１３】
2006266052.tif 000015
【図１４】
2006266052.tif 000016
【図１５】
2006266052.tif 000017
【図１６】
2006266052.tif 000018
【図１７】
2006266052.tif 000019
【図１８】
2006266052.tif 000020
【図１９】
2006266052.tif 000021
【図２０】
2006266052.tif 000022
【図２１】
2006266052.tif 000023
【図２２】
2006266052.tif 000024
【図２３】
2006266052.tif 000025
【図２４】
2006266052.tif 000026
【図２５】
2006266052.tif 000027
【図２６】
2006266052.tif 000028
【図２７】
2006266052.tif 000029
【図２８】
2006266052.tif 000030
【図２９】
2006266052.tif 000031
【図３０】
2006266052.tif 000032
【図３１】
2006266052.tif 000033
【図３２】
2006266052.tif 000034
【図３３】
2006266052.tif 000035
【図３４】
2006266052.tif 000036
【図３５】
2006266052.tif 000037